(57)【要約】  【課題】複数のデジタルコンテンツを統合的に提示し、利用者の行動に応じて一次的な情報と二次的な情報との結びつきを変化させることを可能とし、また、利用者が、自分で調べようとする事項についての予備知識を持ち合わせていない場合にも適切な二次的な情報をシステム外から取得し推奨することが可能とする。  【解決手段】受信したカテゴリ識別番号のカテゴリに属する複数のデジタルコンテンツを、ネットワークを介して取得するコンテンツ取得部と、取得された複数のデジタルコンテンツの概要情報および該概要情報をソフトウェアに所定の順番で表示させるための情報を表示機器に送信し、複数のデジタルコンテンツの概要情報から利用者が選択したデジタルコンテンツの選択情報に応じて、選択されたデジタルコンテンツの詳細情報を表示機器に表示させる情報送信部とを備える。【選択図】図１
2014157513.tif 000002
【特許請求の範囲】
【請求項１】
利用者の表示機器に対してデジタルコンテンツを表示させるデジタルコンテンツ表示システムにおいて、
前記表示機器に、複数のカテゴリのいずれかのカテゴリに該当するデジタルコンテンツを表示させ、前記利用者にデジタルコンテンツの複数のカテゴリの中から、所定のカテゴリまたは所定のデジタルコンテンツの選択を可能とするソフトウェアを配布する配布部と、
前記ソフトウェアに基づき、前記選択されたカテゴリのカテゴリ識別番号を受信するカテゴリ受信部と、
前記受信したカテゴリ識別番号のカテゴリに属する複数のデジタルコンテンツを、ネットワークを介して取得するコンテンツ取得部と、
前記取得された複数のデジタルコンテンツの概要情報および該概要情報を前記ソフトウェアに所定の順番で表示させるための情報を前記表示機器に送信し、前記複数のデジタルコンテンツの概要情報から前記利用者が選択したデジタルコンテンツの選択情報に応じて、選択されたデジタルコンテンツの詳細情報を前記表示機器に表示させる情報送信部と、
前記選択されたカテゴリ、前記送信した概要情報および前記送信した詳細情報の少なくともいずれか１つに対応する利用者の閲覧状況を示した閲覧情報を取得し、該閲覧情報に応じて前記表示機器に所定の順番で表示させるデジタルコンテンツの概要情報を更新し、該更新された概要情報を前記表示機器に送信する更新処理部とを備えるデジタルコンテンツ表示システム。
【請求項２】
前記表示機器は、
少なくとも携帯端末、クライアント端末、デジタル家庭電化製品のいずれかであることを特徴とする請求項１記載のデジタルコンテンツ表示システム。
【請求項３】
前記デジタルコンテンツ表示システムは、更に、
前記カテゴリ、前記概要情報および前記詳細情報の少なくともいずれか１つに対する前記利用者の閲覧状況に応じて、該利用者の趣向性を分析する趣向分析部を備えることを特徴とする請求項１または２記載のデジタルコンテンツ表示システム。
【請求項４】
前記デジタルコンテンツ表示システムは、
前記表示されたデジタルコンテンツから、前記利用者がお気に入りタグを付与したデジタルコンテンツを、更新処理後も表示させるお気に入り管理部を備えることを特徴とする請求項１から３いずれか１項記載のデジタルコンテンツ表示システム。
【請求項５】
前記コンテンツ取得部は、
前記カテゴリに紐づいた複数のデジタルコンテンツから、該デジタルコンテンツが有する前記利用者の趣向性を表すスコアの初期値に基づいて、前記表示機器に送信されるデジタルコンテンツを選択することを特徴とする請求項３または４記載のデジタルコンテンツ表示システム。
【請求項６】
前記更新処理部は、
前記趣向分析部の分析結果に基づいて、前記デジタルコンテンツのスコアを更新し、前記所定の順番で表示させる概要情報を更新する際に、該更新されたスコアが所定の閾値を超過したデジタルコンテンツの概要情報を更新して送信することを特徴とする請求項５記載のデジタルコンテンツ表示システム。
【請求項７】
前記デジタルコンテンツ表示システムは、更に、
前記ソフトウェアを配布する際に、利用者ごとに固有のユーザ識別番号を割り当てるユーザ識別番号割当部と、
前記更新されたスコアを前記ユーザ識別番号ごとに記録するスコア記録部とを備え、
前記コンテンツ取得部は、
前記スコア記録部に記録されたスコアを、前記デジタルコンテンツが有するスコアの初期値として扱うことを特徴とする請求項５または６記載のデジタルコンテンツ表示システム。
【請求項８】
前記趣向分析部は、
前記利用者の閲覧時間、閲覧回数および購買履歴のうち少なくともいずれか１つを閲覧状況に関する情報として利用者の趣向を分析することを特徴とする請求項３記載のデジタルコンテンツ表示システム。
【請求項９】
利用者の表示機器に対してデジタルコンテンツを表示させるデジタルコンテンツ表示方法において、
コンピュータが、
前記表示機器に、複数のカテゴリのいずれかのカテゴリに該当するデジタルコンテンツを表示させ、前記利用者にデジタルコンテンツの複数のカテゴリの中から、所定のカテゴリまたは所定のデジタルコンテンツの選択を可能とするソフトウェアを配布するステップと、
前記ソフトウェアに基づき、前記選択されたカテゴリのカテゴリ識別番号を受信するステップと、
前記受信したカテゴリ識別番号のカテゴリに属する複数のデジタルコンテンツを、ネットワークを介して取得するステップと、
前記取得された複数のデジタルコンテンツの概要情報および該概要情報を前記ソフトウェアに所定の順番で表示させるための情報を前記表示機器に送信し、前記複数のデジタルコンテンツの概要情報から前記利用者が選択したデジタルコンテンツの選択情報に応じて、選択されたデジタルコンテンツの詳細情報を前記表示機器に表示させるステップと、
前記選択されたカテゴリ、前記送信した概要情報および前記送信した詳細情報の少なくともいずれか１つに対応する利用者の閲覧状況を示した閲覧情報を取得し、該閲覧情報に応じて前記表示機器に所定の順番で表示させるデジタルコンテンツの概要情報を更新し、該更新された概要情報を前記表示機器に送信するステップとを実現するデジタルコンテンツ表示方法。
【請求項１０】
利用者の表示機器に対してデジタルコンテンツを表示させるデジタルコンテンツ表示プログラムにおいて、
コンピュータに、
前記表示機器に、複数のカテゴリのいずれかのカテゴリに該当するデジタルコンテンツを表示させ、前記利用者にデジタルコンテンツの複数のカテゴリの中から、所定のカテゴリまたは所定のデジタルコンテンツの選択を可能とするソフトウェアを配布する機能と、
前記ソフトウェアに基づき、前記選択されたカテゴリのカテゴリ識別番号を受信する機能と、
前記受信したカテゴリ識別番号のカテゴリに属する複数のデジタルコンテンツを、ネットワークを介して取得する機能と、
前記取得された複数のデジタルコンテンツの概要情報および該概要情報を前記ソフトウェアに所定の順番で表示させるための情報を前記表示機器に送信し、前記複数のデジタルコンテンツの概要情報から前記利用者が選択したデジタルコンテンツの選択情報に応じて、選択されたデジタルコンテンツの詳細情報を前記表示機器に表示させる機能と、
前記選択されたカテゴリ、前記送信した概要情報および前記送信した詳細情報の少なくともいずれか１つに対応する利用者の閲覧状況を示した閲覧情報を取得し、該閲覧情報に応じて前記表示機器に所定の順番で表示させるデジタルコンテンツの概要情報を更新し、該更新された概要情報を前記表示機器に送信する機能とを実現させるデジタルコンテンツ表示プログラム。
【発明の詳細な説明】
【技術分野】
【０００１】
本発明は、デジタルコンテンツシステムおよびデジタルコンテンツ表示方法並びにデジタルコンテンツ表示プログラムに関するものであって、特に表示機器にデジタルコンテンツを表示させるデジタルコンテンツシステムおよびデジタルコンテンツ表示方法並びにデジタルコンテンツ表示プログラムである。
【背景技術】
【０００２】
近年、ブログやニュースメディア、電子書籍などのデジタルコンテンツが普及している。このようなデジタルコンテンツを用いて情報を収集する際に、従来、どの情報を収集するかはデジタルコンテンツの利用者が自分で選ぶのが一般的であった。
【０００３】
利用者が自ら情報を収集する手段として、固定式の記憶容量を持つ電子辞書や辞書入りのＣＤ―ＲＯＭ、インターネット上の学問ページ、ブログ、ニュースメディア、ＰＤＦやｅＰＵＢ等を用いた電子書籍、検索エンジンによるインデックス、ソーシャルネットワークによる口コミ等、様々な手段が存在する。これらには、単純な情報のストックを表示する方法のみならず、一次的に情報を読んだ人物によって有用と判断されたもののみを発信する、いわば人間によってフィルタリングされる方法なども存在する。
【０００４】
しかし、利用者が自ら情報を収集する場合、直接的に必要な情報（一次的な情報という）を収集することは容易であっても、一次的な情報に関連する情報（二次的な情報という。二次的な情報としてたとえば一次的な情報としてある女優の名前である場合、二次的な情報は、その女優が出演しているテレビ番組名や、雑誌名あるいはその女優とターゲット層が同じ女優の名前のことをいう）を含めて収集することは困難であった。
【０００５】
そのため、ＥＣ（Ｅｌｅｃｔｒｏｎｉｃ Ｃｏｍｍｅｒｃｅ：電子商取引）サイトを中心として、あるサイト内で利用者のとった行動によってそのサイト内の別の情報を推薦する協調フィルタリングと呼ばれる方法が普及し始めた。
【０００６】
特許文献１には、システム利用者各々が興味を持つ内容が記載された書籍に関するレコメンド（推奨）情報を生成して提供する技術について開示されている。具体的には、利用者情報、書籍情報の書籍名、分類情報、書籍識別情報、利用者興味情報を、システム利用者全てについて、書籍名に関連付けて保持する情報保持部と、情報保持部が保持する各情報を、システム利用者全てについて、分類情報及び書籍識別情報をキーとして参照して利用者情報、書籍情報が示す書籍名及び利用者興味情報を抽出して、第１のテーブルに集計し、第１のテーブルにおいて、利用者興味情報が、システム利用者が書籍を気に入ったことを示す場合、第１のテーブルにおいて当該システムの利用者が所有する書籍の書籍名を除く書籍名を含む推奨書籍情報を生成するレコメンド生成部と、を備えるシステムについて記載されている。
【０００７】
特許文献２には、購買履歴を基にした商品相関情報とは別の観点からの関連性も用いるようにして、複数の観点から複合的にレコメンド商品を決定する技術について開示されている。具体的には、ユーザがパソコン等のユーザ端末で、インターネットを介して、仮想ショッピングモールを運営しているウエブ・サーバにアクセスし、ユーザ端末のブラウザに表示されるウエブページにより興味を持った商品をクリックして、その商品に関する情報を示す商品ページを閲覧してから商品を購買した際に、レコメンド・サーバは、商品相関情報記憶手段と個人商品相関情報記憶手段を用いて、２つの観点から複合的にレコメンド商品を決定するハイブリッド・レコメンド処理を行うシステムについて記載されている。
【先行技術文献】
【特許文献】
【０００８】
【特許文献１】特開２０１２−１６４０４２号公報
【特許文献２】特開２００８−２８２０９８号公報
【発明の概要】
【発明が解決しようとする課題】
【０００９】
特許文献１および特許文献２で開示されている技術は、一次的な情報を直接提示する方法に比べ、それに関連する二次的な情報を提示できる点で優れている。しかし、上述した技術では、利用者に対してどの二次的な情報を提示するか判断するために、ある一次的な情報に対して利用者直接の行動（購買、閲覧等）を分析する必要がある。そのため、利用者が直接の行動をとった一次的な情報に紐づいた二次的な情報しか提示できないため、利用者が、自分で調べようとする事項についての予備知識を持ち合わせていない場合には適切な二次的な情報を提示できないという問題があった。また、そのサイト内に保存された二次的な情報しか提示することができなかった。
【００１０】
そこで本発明は、上記事情に鑑み、複数のデジタルコンテンツを統合的に提示し、利用者の行動に応じて一次的な情報と二次的な情報との結びつきを変化させることを可能とし、また、利用者が、自分で調べようとする事項についての予備知識を持ち合わせていない場合にも適切な二次的な情報をシステム外から取得し推奨することが可能なデジタルコンテンツ表示システムおよびデジタルコンテンツ表示方法並びにデジタルコンテンツ表示プログラムを提供することを目的とするものである。
【課題を解決するための手段】
【００１１】
本発明に係るデジタルコンテンツ表示システムは、利用者の表示機器に対してデジタルコンテンツを表示させるデジタルコンテンツ表示システムにおいて、表示機器に、複数のカテゴリのいずれかのカテゴリに該当するデジタルコンテンツを表示させ、利用者にデジタルコンテンツの複数のカテゴリの中から、所定のカテゴリまたは所定のデジタルコンテンツの選択を可能とするソフトウェアを配布する配布部と、ソフトウェアに基づき、選択されたカテゴリのカテゴリ識別番号を受信するカテゴリ受信部と、受信したカテゴリ識別番号のカテゴリに属する複数のデジタルコンテンツを、ネットワークを介して取得するコンテンツ取得部と、取得された複数のデジタルコンテンツの概要情報および該概要情報をソフトウェアに所定の順番で表示させるための情報を表示機器に送信し、複数のデジタルコンテンツの概要情報から利用者が選択したデジタルコンテンツの選択情報に応じて、選択されたデジタルコンテンツの詳細情報を表示機器に表示させる情報送信部と、選択されたカテゴリ、送信した概要情報および送信した詳細情報の少なくともいずれか１つに対応する利用者の閲覧状況を示した閲覧情報を取得し、該閲覧情報に応じて表示機器に所定の順番で表示させるデジタルコンテンツの概要情報を更新し、該更新された概要情報を表示機器に送信する更新処理部とを備える。
【００１２】
「デジタルコンテンツ」は、デジタルデータで表現された文章、音楽、画像、映像、データベース、またはそれらを組み合わせた情報の集合のことをいう。それらを再生するためのソフトウェアや、電子書籍・電子雑誌・ブログ・ホームページ等を含んでもよい。
【００１３】
「表示機器」は、デジタルコンテンツを表示する機能を有したものをいう。表示機器は、少なくとも携帯端末、クライアント端末、デジタル家庭電化製品のいずれかであってもよい。
【００１４】
「カテゴリ」は、デジタルコンテンツの種類をいう。具体的には、音声や画像といったデジタルコンテンツのファイル形式や、推理小説やエッセイのような電子書籍の種類または電子雑誌の雑誌名称のことをいってもよい。
【００１５】
「ソフトウェア」は、コンピュータ等の端末上で何らかの処理を行うプログラムをいう。表示機器上でカテゴリに分類されたデジタルコンテンツを表示するためのものをいってもよい。
【００１６】
「配布部」は、ソフトウェアを配布するものをいう。ダウンロード要求を送信してきた端末に対して、配布するものとしてもよい。
【００１７】
「カテゴリ識別番号」は、カテゴリを識別するものをいう。カテゴリごとに割り当てられたＩＤとしてもよい。
【００１８】
「カテゴリ受信部」は、利用者が選択したカテゴリを受信するものをいう。カテゴリ識別番号を受信し、選択されたカテゴリを判別するものをいってもよい。
【００１９】
「コンテンツ取得部」は、利用者が選択したデジタルコンテンツを取得するものをいう。利用者が選択したカテゴリに紐づくデジタルコンテンツを、ネットワークを介して他のシステムから取得するものとしてもよい。
【００２０】
「選択情報」は、利用者によって選択されたデジタルコンテンツの概要情報を示すものをいう。
【００２１】
「情報送信部」は、デジタルコンテンツに関する情報を表示機器に所定の順序で表示させるものをいう。デジタルコンテンツが更新された際に、更新日時の時系列順で並ぶように送信するものとしてもよい。
【００２２】
「概要情報」は、デジタルコンテンツの概要を示すものをいう。デジタルコンテンツのタイトルやトップ画面を指してもよい。例えば、ブログの概要情報の場合、更新日時・画像・タイトル・内容の１行目を指してもよい。
【００２３】
「詳細情報」は、デジタルコンテンツの内容に関する情報をいう。例えば、デジタルコンテンツがブログである場合、詳細情報は、該ブログの記事を指してもよい。
【００２４】
「閲覧情報」は、特定のデジタルコンテンツに対する利用者の閲覧状況を示すものをいう。閲覧状況は、利用者の閲覧時間、閲覧回数等を指してもよい。また、デジタルコンテンツに関する商品を購入した場合、購入履歴を閲覧情報としてもよい。また、利用者がリンク貼ったデジタルコンテンツの情報や、共有したブログの情報等を含むものとしてもよい。
【００２５】
「更新処理部」は、更新された情報を表示機器に送信するものをいう。更新処理部は、更新された情報の概要情報を時系列で表示させるよう送信するものとしてもよい。
【００２６】
また、デジタルコンテンツ表示システムは、表示されたデジタルコンテンツから、利用者がお気に入りタグを付与したデジタルコンテンツを、更新処理後も表示させるお気に入り管理部を備えてもよい。
【００２７】
「お気に入り管理部」は、更新処理部によって更新処理が行われた後に表示機器に表示するデジタルコンテンツを制御するものをいう。お気に入り管理部は、お気に入り表示用のページを作成し、お気に入りタグが付与されたデジタルコンテンツを一覧表示させる情報を、表示機器に表示させるものとしてもよい。
【００２８】
「お気に入りタグ」は、利用者によって、デジタルコンテンツに対して付与される付帯情報をいう。お気に入りタグは表示機器上で管理されるものとしてもよいし、デジタルコンテンツ表示システム側で受信し、管理するものとしてもよい。
【００２９】
また、デジタルコンテンツ表示システムは、更に、カテゴリ、概要情報および詳細情報の少なくともいずれか１つに対する利用者の閲覧状況に応じて、利用者の趣向性を分析する趣向分析部を備えてもよい。
【００３０】
「趣向分析部」は、利用者の趣向性を分析するものをいう。デジタルコンテンツに対する利用者の閲覧情報をもとに、趣向分析部は利用者の趣向性を分析するものとしてもよい。例えば、趣向分析部は、利用者が詳細情報を閲覧した場合の方が概要情報しか閲覧しなかった場合より、その情報に対して趣向度が高いと分析してもよい。また、趣向分析部は、利用者の閲覧時間、閲覧回数および購買履歴のうち少なくともいずれか１つを閲覧状況に関する情報として利用者の趣向性を分析するものとしてもよい。
【００３１】
また、コンテンツ取得部は、カテゴリに紐づいた複数のデジタルコンテンツから、該デジタルコンテンツが有する利用者の趣向性を表すスコアの初期値に基づいて、表示機器に送信されるデジタルコンテンツを選択するものとしてもよい。
【００３２】
「初期値」は、デジタルコンテンツに対して、利用者がカテゴリを初回に選択した際に、該選択されたカテゴリに応じて与えられる値をいう。各デジタルコンテンツは、対応するカテゴリごとにそれぞれ初期値を与えられるものとしてもよい。例えば、あるデジタルコンテンツＡがカテゴリＡとは結びつきが強く、カテゴリＢとはあまり結びつきがなく、カテゴリＣとは結びつきがないとした場合を例に説明する。この場合、デジタルコンテンツＡは、選択されたカテゴリに応じて異なった初期値が与えられることになる。例えば、利用者が初回にカテゴリＡを選択した場合には、デジタルコンテンツＡは、初期値として１０を与えられる。また、利用者が初回にカテゴリＢを選択した場合には、デジタルコンテンツＡは、初期値として５を与えられ、また、カテゴリＣを選択した場合には、０が与えられる。
【００３３】
また、更新処理部は、趣向分析部の分析結果に基づいて、デジタルコンテンツのスコアを更新し、所定の順番で表示させるための概要情報を更新する際に、該更新されたスコアが所定の閾値を超過したデジタルコンテンツの概要情報を更新して送信するものとしてもよい。
【００３４】
また、デジタルコンテンツ表示システムは、更に、ソフトウェアを配布する際に、利用者ごとに固有のユーザ識別番号を割当てるユーザ識別番号割当部と、更新されたスコアをユーザ識別番号ごとに記録するスコア記録部とを備え、コンテンツ取得部は、スコア記録部に記録されたスコアを、デジタルコンテンツを有するスコアの初期値として扱うものとしてもよい。
【００３５】
「ユーザ識別番号割当部」は、利用者ごとに固有の番号を割当てるものをいう。利用者が複数の表示機器を有していた場合、同一の利用者には１つのユーザ識別番号を割当てるものとしてもよいし、表示機器ごとに異なるユーザ識別番号を割当てるものとしてもよい。
【００３６】
「スコア記録部」は、ユーザ識別番号ごとに各デジタルコンテンツのスコアを記録するものをいう。
【００３７】
また、本発明に係るデジタルコンテンツ表示方法は、利用者の表示機器に対してデジタルコンテンツを表示させるデジタルコンテンツ表示方法において、コンピュータが、表示機器に、複数のカテゴリのいずれかのカテゴリに該当するデジタルコンテンツを表示させ、利用者にデジタルコンテンツの複数のカテゴリの中から、所定のカテゴリまたは所定のデジタルコンテンツの選択を可能とするソフトウェアを配布するステップと、ソフトウェアに基づき、選択されたカテゴリのカテゴリ識別番号を受信するステップと、受信したカテゴリ識別番号のカテゴリに属する複数のデジタルコンテンツを、ネットワークを介して取得するステップと、取得された複数のデジタルコンテンツの概要情報および該概要情報をソフトウェアに所定の順番で表示させるための情報を表示機器に送信し、複数のデジタルコンテンツの概要情報から利用者が選択したデジタルコンテンツの選択情報に応じて、選択されたデジタルコンテンツの詳細情報を表示機器に表示させるステップと、選択されたカテゴリ、送信した概要情報および送信した詳細情報の少なくともいずれか１つに対応する利用者の閲覧状況を示した閲覧情報を取得し、該閲覧情報に応じて表示機器に所定の順番で表示させるデジタルコンテンツの概要情報を更新し、該更新された概要情報を表示機器に送信するステップとを実現する。
【００３８】
また、本発明に係るデジタルコンテンツ表示プログラムは、利用者の表示機器に対してデジタルコンテンツを表示させるデジタルコンテンツ表示プログラムにおいて、コンピュータに、表示機器に、複数のカテゴリのいずれかのカテゴリに該当するデジタルコンテンツを表示させ、利用者にデジタルコンテンツの複数のカテゴリの中から、所定のカテゴリまたは所定のデジタルコンテンツの選択を可能とするソフトウェアを配布する機能と、ソフトウェアに基づき、選択されたカテゴリのカテゴリ識別番号を受信する機能と、受信したカテゴリ識別番号のカテゴリに属する複数のデジタルコンテンツを、ネットワークを介して取得する機能と、取得された複数のデジタルコンテンツの概要情報および該概要情報をソフトウェアに所定の順番で表示させるための情報を表示機器に送信し、複数のデジタルコンテンツの概要情報から利用者が選択したデジタルコンテンツの選択情報に応じて、選択されたデジタルコンテンツの詳細情報を表示機器に表示させる機能と、選択されたカテゴリ、送信した概要情報および送信した詳細情報の少なくともいずれか１つに対応する利用者の閲覧状況を示した閲覧情報を取得し、該閲覧情報に応じて表示機器に所定の順番で表示させるデジタルコンテンツの概要情報を更新し、該更新された概要情報を表示機器に送信する機能とを実現させる。
【発明の効果】
【００３９】
本発明に係るデジタルコンテンツ表示システムは、受信したカテゴリ識別番号のカテゴリに属する複数のデジタルコンテンツを、ネットワークを介して取得するコンテンツ取得部と、取得された複数のデジタルコンテンツの概要情報および該概要情報をソフトウェアに所定の順番で表示させるための情報を表示機器に送信し、複数のデジタルコンテンツの概要情報から利用者が選択したデジタルコンテンツの選択情報に応じて、選択されたデジタルコンテンツの詳細情報を表示機器に表示させる情報送信部と、選択されたカテゴリ、送信した概要情報および送信した詳細情報の少なくともいずれか１つに対応する利用者の閲覧状況を示した閲覧情報を取得し、該閲覧情報に応じて表示機器に所定の順番で表示させるデジタルコンテンツの概要情報を更新し、該更新された概要情報を表示機器に送信する更新処理部とを備える際には、複数のデジタルコンテンツを統合的に提示し、利用者の行動に応じて一次的な情報と二次的な情報との結びつきを変化させることが可能となり、また、利用者が、自分で調べようとする事項についての予備知識を持ち合わせていない場合にも適切な二次的な情報をシステム外から取得し推奨することが可能となる。
【００４０】
また、本発明に係るデジタルコンテンツ表示システムは、更に、カテゴリ、概要情報および詳細情報のすくなくともいずれか１つに対する利用者の閲覧状況に応じて、該利用者の趣向性を分析する趣向分析部を備える際においては、利用者にとってさほど興味のない情報を推奨することを防ぐことが可能となり、また、利用者が自身の取得したい二次的な情報に対して予備知識がない場合でも適切な情報を取得することが可能となる。
【００４１】
また、デジタルコンテンツ表示システムは、表示されたデジタルコンテンツから、利用者がお気に入りタグを付与したデジタルコンテンツを、更新処理後も表示させるお気に入り管理部を備える際においては、利用者が気に入った情報を、更新処理後もすぐに閲覧可能な場所に確保しておくことが可能となる。
【００４２】
また、コンテンツ取得部が、カテゴリに紐づいた複数のデジタルコンテンツから、該デジタルコンテンツが有する利用者の趣向性を表すスコアの初期値に基づいて、表示機器に送信されるデジタルコンテンツを選択するものである際においては、利用者が自身の取得したい二次的な情報に対して予備知識がない場合でも適切な情報を取得することが可能となる。
【００４３】
また、更新処理部が、趣向分析部の分析結果に基づいて、デジタルコンテンツのスコアを更新し、所定の順番で表示させるための概要情報を更新する際に、該更新されたスコアが所定の閾値を超過したデジタルコンテンツの概要情報を更新して送信するものである際においては、利用者の行動に応じて一次的な情報と二次的な情報との結びつきを変化させることが可能となり、利用者の趣向度の高い二次的な情報を推奨することが可能となる。
【００４４】
また、本発明に係るデジタルコンテンツ表示システムが、更に、ソフトウェアを配布する際に、利用者ごとに固有のユーザ識別番号を割当てるユーザ識別番号割当部と、更新されたスコアをユーザ識別番号ごとに記録するスコア記録部とを備え、コンテンツ取得部が、スコア記録部に記録されたスコアを、デジタルコンテンツが有するスコアの初期値として扱うものである際においては、利用者ごとに推奨する二次的な情報を変化させることが可能となる。
【００４５】
また、趣向分析部が、利用者の閲覧時間、閲覧回数および購買履歴のうち少なくともいずれか１つを閲覧状況に関する情報として利用者の趣向性を分析するものである際においては、利用者の行動に応じて趣向性を分析することが可能となり、より適切な情報を推奨することが可能となる。
【図面の簡単な説明】
【００４６】
【図１】本発明の第１の実施形態に係るデジタルコンテンツ表示システムおよび外部システムのブロック図
【図２】本発明の第１の実施形態に係るデジタルコンテンツ表示システムの処理を示すフローチャート
【図３】本発明のソフトウェアが表示機器に表示する画面のイメージ図
【図４】本発明のソフトウェアが表示機器に表示する画面のイメージ図
【図５】本発明の第１の実施形態に係るデジタルコンテンツ表示システムの推奨処理を示すフローチャート
【図６】本発明の第１の実施形態に係るデータベースにおけるカテゴリとソースの対応関係を示す模式図
【図７】本発明の第１の実施形態に係るデータベースにおけるカテゴリとソースの対応関係を示す模式図
【図８】本発明の第１の実施形態に係るデータベースにおけるカテゴリとソースの対応関係を示す模式図
【図９】本発明のその他の実施形態に係るデジタルコンテンツ表示システムおよび外部システムのブロック図
【図１０】本発明のその他の実施形態に係る表示機器の処理を示すフローチャート
【図１１】本発明の第１の実施形態に係るデジタルコンテンツ表示システムの処理を示すフローチャート
【図１２】本発明のその他の実施形態に係るデジタルコンテンツ表示システムの処理フローを示すチャート
【発明を実施するための形態】
【００４７】
［第１の実施形態］
以下、本発明の第１の実施の形態を図１乃至図８を用いて説明する。
【００４８】
本実施形態におけるデジタルコンテンツ表示システム１００は、表示機器２０１に、複数のカテゴリのいずれかのカテゴリに該当するデジタルコンテンツを表示させ、利用者にデジタルコンテンツの複数のカテゴリの中から、所定のカテゴリまたは所定のデジタルコンテンツの選択を可能とするソフトウェアを配布する配布部１１１と、ソフトウェアに基づき、選択されたカテゴリのカテゴリ識別番号を受信するカテゴリ受信部１１２と、受信したカテゴリ識別番号のカテゴリに属する複数のデジタルコンテンツを、ネットワーク８００を介して取得するコンテンツ取得部１１３と、取得された複数のデジタルコンテンツの概要情報および該概要情報をソフトウェアに所定の順番で表示させるための情報を表示機器２０１に送信し、複数のデジタルコンテンツの概要情報から利用者が選択したデジタルコンテンツの選択情報に応じて、選択されたデジタルコンテンツの詳細情報を表示機器２０１に表示させる情報送信部１１４と、選択されたカテゴリ、送信した概要情報および送信した詳細情報の少なくともいずれか１つに対応する利用者の閲覧状況を示した閲覧情報を取得し、該閲覧情報に応じて表示機器２０１に所定の順番で表示させるデジタルコンテンツの概要情報を更新し、該更新された概要情報を表示機器２０１に送信する更新処理部１１５とを備える。
【００４９】
また、本実施形態では、デジタルコンテンツ表示システム１００は、更に、カテゴリ、概要情報および詳細情報の少なくともいずれか１つに対する利用者の閲覧状況に応じて、該利用者の趣向性を分析する趣向分析部１１８を備えてもよい。
【００５０】
また、本実施形態では、デジタルコンテンツ表示システム１００は、更に、表示されたデジタルコンテンツから、利用者がお気に入りタグを付与したデジタルコンテンツを、更新処理後も表示させるお気に入り管理部１１９を備えてもよい。
【００５１】
デジタルコンテンツ表示システム１００は、コンピュータまたはサーバを備え、各種入力に基づきＲＡＭやハードディスクなどに記録されたプログラムを実行することで、各種機能部として動作する。該プログラムは、ＣＤ−ＲＯＭ等の記憶媒体に記憶され、もしくはインターネット等のネットワーク８００を介して配布され、コンピュータにインストールされるものであってもよい。
【００５２】
本実施形態では、デジタルコンテンツ表示システム１００は、利用者の趣向性に合致する、ブログ、ホームページ、ＥＣ（Ｅｌｅｃｔｒｏｎｉｃ Ｃｏｍｍｅｒｃｅ：電子商取引）サイト３０１上の商品情報等のデジタルコンテンツを推奨し、提示する。デジタルコンテンツは、デジタルデータで表現された文章、音楽、画像、映像、データベース１０１、またはそれらを組み合わせた情報の集合のことをいう。それらを再生するためのソフトウェアや、電子書籍・電子雑誌・ブログ・ホームページ等も含んでもよい。
【００５３】
ソフトウェアは、コンピュータ等の端末上で何らかの処理を行うプログラムである。表示機器２０１上でカテゴリに分類されたデジタルコンテンツを表示するために使用される。
【００５４】
表示機器２０１は、画面を表示する機能を有する機器をいう。具体的には、ＰＣ・タブレット等のクライアント端末、スマートフォン・ＰＤＡ・携帯端末等の携帯端末またはセットトップボックスを接続したテレビやインターネット接続可能なテレビその他のデジタル家電を意味する。
【００５５】
カテゴリは、デジタルコンテンツの種類である。具体的には、音声や画像といったデジタルコンテンツのファイル形式や、推理小説やエッセイのような電子書籍の種類または電子雑誌の雑誌名称のことをいってもよい。カテゴリは、カテゴリごとに振り分けられたＩＤである、カテゴリ識別番号によって管理される。
【００５６】
図１は、本実施形態におけるデジタルコンテンツ表示システム１００の構成を示すブロック図である。
【００５７】
デジタルコンテンツ表示システム１００は、配布部１１１と、カテゴリ受信部１１２と、コンテンツ取得部１１３と、情報送信部１１４と、更新処理部１１５と、趣向分析部１１８と、お気に入り管理部１１９とデータベース１０１とを備えている。またネットワーク８００を介して、表示機器２０１および他システムである、外部システム３００としてＥＣサイト３０１、ＷＥＢサイト３０２と連携している。
【００５８】
ＷＥＢサイト３０２は、ブログやホームページ等のデジタルコンテンツを管理するものをいう。
【００５９】
配布部１１１は、ソフトウェアを配布する。ダウンロード要求を送信してきた端末に対して、配布するものとしてもよい。
【００６０】
カテゴリ受信部１１２は、利用者が選択したカテゴリを受信する。カテゴリ識別番号を受信し、選択されたカテゴリを判別するものをいってもよい。
【００６１】
コンテンツ取得部１１３は、利用者が選択したデジタルコンテンツを取得する。利用者が選択したカテゴリに紐づくデジタルコンテンツを、ネットワーク８００を介して他のシステムから取得するものとしてもよい。また、コンテンツ取得部１１３は、カテゴリに紐づいた複数のデジタルコンテンツから、これらのデジタルコンテンツが有する利用者の趣向性を表すスコアの初期値に基づいて、表示機器２０１に送信されるデジタルコンテンツを選択するものとしてもよい。
【００６２】
初期値は、デジタルコンテンツに対して、利用者がカテゴリを初回に選択した際に、選択されたカテゴリに応じて与えられる値をいう。各デジタルコンテンツは、対応するカテゴリごとにそれぞれ初期値を与えられるものとしてもよい。例えば、あるデジタルコンテンツＡがカテゴリＡとは結びつきが強く、カテゴリＢとはあまり結びつきがなく、カテゴリＣとは結びつきがないとした場合を例に説明する。この場合、デジタルコンテンツＡは、選択されたカテゴリに応じて異なった初期値が与えられることになる。例えば、利用者が初回にカテゴリＡを選択した場合には、デジタルコンテンツＡは、初期値として１０を与えられる。また、利用者が初回にカテゴリＢを選択した場合には、デジタルコンテンツＡは、初期値として５を与えられ、また、カテゴリＣを選択した場合には、０が与えられる。
【００６３】
情報送信部１１４は、概要情報を表示機器２０１に送信し、利用者が選択した概要情報の詳細情報を所定の順序で表示機器２０１に表示させる。例えば、所定の順序は更新日時順とし、デジタルコンテンツが更新された際に、概要情報が更新日時の時系列で並ぶように送信するものとしてもよい。
【００６４】
更新処理部１１５は、更新された情報の概要情報を所定の順番で表示するよう送信する。また、更新処理部１１５は、趣向分析部１１８の分析結果に基づいて、デジタルコンテンツのスコアを更新し、所定の順番で表示させるための概要情報を更新する際に、該更新されたスコアが所定の閾値を超過したデジタルコンテンツの概要情報を更新して送信するものとしてもよい。
【００６５】
趣向分析部１１８は、利用者の趣向性を分析する。デジタルコンテンツに対する利用者の閲覧情報をもとに、趣向分析部１１８は利用者の趣向性を分析するものとしてもよい。例えば、趣向分析部１１８は、利用者が詳細情報を閲覧した場合の方が概要情報しか閲覧しなかった場合より、その情報に対して趣向度が高いと分析してもよい。また、趣向分析部１１８は、利用者の閲覧時間、閲覧回数および購買履歴のうち少なくともいずれか１つを閲覧状況に関する情報として利用者の趣向性を分析するものとしてもよい。
【００６６】
お気に入り管理部１１９は、更新処理部１１５によって更新処理が行われた後に表示機器２０１に表示するデジタルコンテンツを制御するものをいう。お気に入り管理部１１９は、お気に入り表示用のページを作成し、お気に入りタグが付与されたデジタルコンテンツを一覧表示させる情報を、表示機器２０１に表示させるものとしてもよい。
【００６７】
次に、図２を用いて本実施形態におけるデジタルコンテンツ表示システム１００に初めて利用者がアクセスした場合の処理フローを説明する。
【００６８】
まず、デジタルコンテンツ表示システム１００に接続要求をした表示機器２０１に対して、配布部１１１がソフトウェアを配布する（ＳＴＥＰ１１１）。ソフトウェアは、表示機器２０１上で動作し、表示機器２０１にデジタルコンテンツを表示する機能や、選択されたデジタルコンテンツに関する情報を収集し、デジタルコンテンツ表示システム１００に送信する機能を有する。
【００６９】
表示機器２０１に配布されたソフトウェアがデジタルコンテンツのカテゴリを表示させる（ＳＴＥＰ１１２）。
【００７０】
図３は、ソフトウェアが表示機器２０１に表示させる画面を示すイメージ図である。図３の（Ａ）はカテゴリ選択画面、（Ｂ）は概要情報表示画面、（Ｃ）は詳細情報表示画面を表している。この例では、デジタルコンテンツ表示システム１００は雑誌の名称をカテゴリとして扱っている。この場合には、例えば雑誌名称と、雑誌モデルや特集される被服や装飾品のブランドとを紐づけてデータベース１０１上で管理しているものとしてもよい。この雑誌モデルやブランドをソースという。ソースは、雑誌で取り上げられている情報の内容をいう。例えば雑誌が観光情報紙などである場合には、ソースは、観光地や名産品の名称など、また、車に関する雑誌である場合には、車種やメーカなどである。
【００７１】
そして更に、ソース（ここでは雑誌モデルやブランドなど）と、そのソースについて扱われているホームページや、雑誌モデルのブログ等を対応づけて記録している。データベース１０１では、ホームページやブログが更新される度に、更新があったことを併せて対応付けて管理しているものとしてもよい。また、データベース１０１には、後述する趣向分析部１１８が分析した趣向度を併せて登録してあるものとしてもよい。この対応の詳細については図６を用いて後述する。
【００７２】
図２において処理の続きを説明する。表示機器２０１に表示される雑誌名称（カテゴリ）から利用者が、自分がよく読む雑誌や、興味のある雑誌を選択する（ＳＴＥＰ１１３）。利用者は、雑誌名称を複数選択できるものとしてもよい。利用者が選択した雑誌名称は、カテゴリ識別番号としてカテゴリ受信部１１２で受け付けられる。
【００７３】
コンテンツ取得部１１３は、データベース１０１に、受け付けられたカテゴリ識別番号と紐づいている雑誌モデルやブランド等のホームページやブログを問い合わせる。そして、コンテンツ取得部１１３は、データベース１０１上で更新情報を確認した上で、該ホームページやブログ等のデジタルコンテンツを、ネットワーク８００を介して、ＷＥＢサイト３０２から取得する（ＳＴＥＰ１１４）。このとき取得するコンテンツは後述する推奨処理によって選択される。
【００７４】
取得されたデジタルコンテンツから情報送信部１１４は概要情報を作成する。概要情報は、デジタルコンテンツの概要を示すものをいう。デジタルコンテンツのタイトルやトップ画面を指してもよい。例えば、ブログの概要情報の場合、図３の（Ｂ）に示すように、更新日時・画像・タイトル・内容の１行目を指してもよい。
【００７５】
図２に戻り処理の続きを説明する。情報送信部１１４は、作成した概要情報を、所定の順番で表示されるよう表示器２０１に送信する。本実施形態では、デジタルコンテンツの更新日時に沿って時系列で表示されるように表示機器２０１に送信している（ＳＴＥＰ１１５）。また、このとき作成された概要情報は、データベース１０１上で元のデジタルコンテンツと対応付けて管理される。
【００７６】
利用者は図３の（Ｂ）に示される概要情報から、見たいデジタルコンテンツの概要情報を選択する（ＳＴＥＰ１１６）。利用者が選択した概要情報は、選択情報として、デジタルコンテンツ表示システム１００に送信され、この選択情報に基づいて、情報送信部１１４は、概要情報と紐づくデジタルコンテンツの内容を詳細情報として、表示機器２０１に送信する（ＳＴＥＰ１１７）。
【００７７】
図３の（Ｃ）は、表示機器２０１上に表示された詳細情報である。図３の（Ｃ１）はスキボタンを示している。スキボタンは、利用者が気に入ったデジタルコンテンツをブックマークしておく機能を備えている。スキボタンを押されたデジタルコンテンツは、お気に入り管理部１１９によって、お気に入りタグが付与される。お気に入りタグは、利用者によって、デジタルコンテンツに対して付与される付帯情報をいう。お気に入りタグは表示機器２０１上で管理される。デジタルコンテンツ表示システム１００側で受信し、管理するものとしてもよい。
【００７８】
図３の（Ｂ）の（Ｂ１）は、お気に入り管理部１１９によって管理されているブックマークへのリンクを示している。（Ｂ１）が押下されると、図４の（Ｄ１）に示す画面に遷移する。
【００７９】
また、図３（Ｃ）の（Ｃ１）には、ＷＥＢサイト３０２の更に詳細な情報を表示する画面へのリンクが貼られている。利用者は、図の（Ｃ）の（Ｃ１）を押下することで、図４の（Ｄ３）に示すような、さらに詳細な画面を表示させることも可能である。
【００８０】
また、図３（Ｃ）の（Ｃ３）は、コメント送信画面へ遷移するためのボタンである。利用者は、図の（Ｃ）の（Ｃ３）を押下することで、図４の（Ｄ２）に示すような、コメント送信画面を表示させることも可能である。
【００８１】
図２に戻り、フローの続きを説明する。更新処理部１１５は、データベース１０１を監視し、デジタルコンテンツが更新された場合（ＳＴＥＰ１１８：ＹＥＳ）、更新されたデジタルコンテンツの更新日時に合わせて時系列の表示になるように、これらのデジタルコンテンツの概要情報を表示機器２０１に再度送信する。
【００８２】
図５は、デジタルコンテンツ表示システム１００の推奨処理のフローを示すチャートである。ソフトウェアに表示された雑誌名から利用者が雑誌名称（カテゴリ）を選択する（ＳＴＥＰ２０１）。選択されたカテゴリに応じて、趣向分析部１１８は、データベース１０１上で紐づいているデジタルコンテンツに初期値を付与する（ＳＴＥＰ２０２）。
【００８３】
図６は、データベース１０１上でカテゴリ、概要情報、詳細情報が紐づけられて管理されている様子を模式的に示した図である。データベース１０１上では、カテゴリである雑誌名は、ソース（雑誌モデル、ブランド等）、デジタルコンテンツと対応付けられている。雑誌とソースとの結びつきには重みづけが与えられている。初期値は、雑誌とソースとの結びつきの度合いに応じて与えられる。
【００８４】
具体的には、例えばソースＡをモデル１、ソースＢをブランド１、ソースＣをブランド２、ソースＤをモデル２として説明する。また、モデル１は雑誌Ｄの専属モデルをしている。雑誌Ｄおよび雑誌Ａは姉妹関係にあるため、モデル１は雑誌Ａでもよく登場している。また、モデル２は、雑誌Ｂの専属モデルである。更に、ブランド１は、雑誌Ａ、ＢおよびＤでよく取り上げられるブランドであり、ブランド２は雑誌Ｃ、Ｄで取り上げられることが多い。
【００８５】
このような関係にある場合、雑誌と各ソースとの対応関係は図６に示すような重みづけが与えられている。まず、モデル１（ソースＡ）は雑誌Ａ、Ｄと対応関係があり、かつ雑誌Ｄの専属モデルであるため、雑誌Ｄとの対応関係の重みづけが高くなっている。同様に、モデル２（ソースＤ）は、雑誌Ｂにしか登場しないので、他の雑誌との対応関係はない。ブランド１、２についても同様に、掲載される雑誌と対応関係を持ち、出現頻度が高い方が、重みづけが高くなる。
【００８６】
図７は、図５のＳＴＥＰ２０１で、利用者が雑誌Ａおよび雑誌Ｂを選択した場合の様子を示している。雑誌Ａおよび雑誌ＢにはソースＡ、ＢおよびＣが結びついているため、デジタルコンテンツＡ−１、Ａ−２、Ｂ−１、Ｂ−２、Ｄ−１、Ｄ−２、Ｄ−３がコンテンツ取得部１１３によって取得されることになる。利用者が初回にカテゴリを選択すると、データベース１０１上では、図８に示すように利用者は、各ソースと直接結びつけられて記録されることになる。
【００８７】
図６に戻り、推奨処理の続きを説明する。趣向分析部１１８は、選択されたカテゴリとカテゴリに紐づくソースの重みづけに応じて、初期値に加点・減点処理を行う。具体的には、利用者に選択されたカテゴリである、雑誌Ａおよび雑誌Ｂに結びついているソースＡ、ＢおよびＣは加点がなされる。特に、例えば、雑誌Ａとの関係において、重みづけが高いソースＡは、ソースＢより高い点数が加点される。一方で、雑誌Ｃおよび雑誌Ｄは選択されなかったので、雑誌Ｃとしか結びついていなかったソースＣには加点処理はなされない。
【００８８】
情報送信部１１４は、取得されたデジタルコンテンツのうち、スコアが所定の閾値を超過しているソースに紐づいているデジタルコンテンツの概要情報を送信する（ＳＴＥＰ２０３）。表示機器２０１上に表示された概要情報から利用者は見たいものを選択する（ＳＴＥＰ２０４）。概要情報が選択されると、趣向分析部１１８は、選択された概要情報に応じて対応するソースに加点・減点処理を行う（ＳＴＥＰ２０５）。この加点・減点処理は、選択された概要情報だけでなく、利用者の閲覧状況全般に応じて行われるものであってもよい。
【００８９】
図９は、利用者がソースＡ、Ｂをよく読み、ソースＤをあまり読まなかった場合のスコアの変動を示した図である。趣向分析部１１８は、利用者の各ソースに対する閲覧情報に応じてスコアを変動させていく。閲覧情報は、特定のデジタルコンテンツに対する利用者の閲覧状況を示すものをいう。閲覧状況は、利用者の閲覧時間、閲覧回数等を指してもよい。また、デジタルコンテンツに関する商品を購入した場合、購入履歴を閲覧情報としてもよい。趣向分析部１１８がスコアを変動させた結果、閾値以下になったソース（図９においてはソースＤ）に紐づくデジタルコンテンツは配信されなくなる。
【００９０】
また、ソースのスコアの変動は、各ソースの関連度に応じてされてもよい。例えば、ソースＢとソースＣの関連度が高い場合、ソースＢのスコアが上がることで連動してソースＣのスコアが上がり、閾値を超過した場合、ソースＣに紐づくデジタルコンテンツも配信されるようになる。
【００９１】
図５に戻り処理の続きを説明する。デジタルコンテンツが更新された場合（ＳＴＥＰ２０６：ＹＥＳ）、更新処理部１１５は、スコアが閾値を超過しているデジタルコンテンツの概要情報を時系列で再度送信する。
【００９２】
［第２の実施形態］
以下、本発明のその他の実施の形態を図１０乃至図１２を用いて説明する。
本実施形態におけるデジタルコンテンツ表示システム１００は、表示機器２０１に、複数のカテゴリのいずれかのカテゴリに該当するデジタルコンテンツを表示させ、利用者にデジタルコンテンツの複数のカテゴリの中から、所定のカテゴリまたは所定のデジタルコンテンツの選択を可能とするソフトウェアを配布する配布部１１１と、ソフトウェアに基づき、選択されたカテゴリのカテゴリ識別番号を受信するカテゴリ受信部１１２と、受信したカテゴリ識別番号のカテゴリに属する複数のデジタルコンテンツを、ネットワーク８００を介して取得するコンテンツ取得部１１３と、取得された複数のデジタルコンテンツの概要情報および該概要情報をソフトウェアに所定の順番で表示させるための情報を表示機器２０１に送信し、複数のデジタルコンテンツの概要情報から利用者が選択したデジタルコンテンツの選択情報に応じて、選択されたデジタルコンテンツの詳細情報を表示機器２０１に表示させる情報送信部１１４と、選択されたカテゴリ、送信した概要情報および送信した詳細情報の少なくともいずれか１つに対応する利用者の閲覧状況を示した閲覧情報を取得し、該閲覧情報に応じて表示機器２０１に所定の順番で表示させるデジタルコンテンツの概要情報を更新し、該更新された概要情報を表示機器２０１に送信する更新処理部１１５とを備える。
【００９３】
また、本実施形態では、デジタルコンテンツ表示システム１００は、更に、カテゴリ、概要情報および詳細情報の少なくともいずれか１つに対する利用者の閲覧状況に応じて、該利用者の趣向性を分析する趣向分析部１１８を備えてもよい。
【００９４】
また、本実施形態では、デジタルコンテンツ表示システム１００は、更に、表示されたデジタルコンテンツから、利用者がお気に入りタグを付与したデジタルコンテンツを、更新処理後も表示させるお気に入り管理部１１９を備えてもよい。
【００９５】
また、デジタルコンテンツ表示システム１００は、更に、ソフトウェアを配布する際に、利用者ごとに固有のユーザ識別番号を割当てるユーザ識別番号割当部１２０と、更新されたスコアをユーザ識別番号ごとに記録するスコア記録部１２１とを備え、コンテンツ取得部１１３は、スコア記録部１２１に記録されたスコアを、デジタルコンテンツを有するスコアの初期値として扱うものとしてもよい。
【００９６】
図１０は、本実施形態におけるデジタルコンテンツ表示システム１００の構成を示すブロック図である。
【００９７】
デジタルコンテンツ表示システム１００は、配布部１１１と、カテゴリ受信部１１２と、コンテンツ取得部１１３と、情報送信部１１４と、更新処理部１１５と、趣向分析部１１８と、お気に入り管理部１１９と、ユーザ識別番号割当部１２０と、スコア記録部１２１と、データベース１０１とを備えている。またネットワーク８００を介して、表示機器２０１および他システムであるＥＣサイト３０１、ＷＥＢサイト３０２と連携している。
【００９８】
ユーザ識別番号割当部１２０は、利用者ごとに固有の番号を割当てるものをいう。利用者が複数の表示機器２０１を有していた場合、同一の利用者には１つのユーザ識別番号を割当てるものとしてもよいし、表示機器２０１ごとに異なるユーザ識別番号を割当てるものとしてもよい。
【００９９】
スコア記録部１２１は、ユーザ識別番号ごとに各デジタルコンテンツのスコアを記録するものをいう。
【０１００】
図１１は、本実施形態における表示機器２０１にインストールされたソフトウェアの処理を示すフローである。配布部１１１から表示機器２０１にダウンロードされたソフトウェアは、起動時に、ソフトウェア内に、ユーザ識別番号を有しているか確認する（ＳＴＥＰ３０１）。
【０１０１】
ソフトウェア内にユーザ識別番号がない場合（ＳＴＥＰ３０１：ＮＯ）、ソフトウェアは、ユーザ識別番号割当部１２０から取得する（ＳＴＥＰ３０２）。
【０１０２】
ユーザ識別番号は、利用者を識別するための固有のＩＤのような情報をいう。ユーザ識別番号割当部１２０からユーザ識別番号を取得した場合、あるいはすでにソフトウェア内にユーザ識別番号を有していた場合（ＳＴＥＰ３０１：ＹＥＳ）、カテゴリが利用者によって既に選択されているか検証する（ＳＴＥＰ３０３）。
【０１０３】
カテゴリが選択されていなかった場合（ＳＴＥＰ３０３：ＮＯ）には、ソフトウェアは表示機器２０１上に、カテゴリ選択画面を表示する（ＳＴＥＰ３０４）。利用者がカテゴリを選択すると、選択されたカテゴリのカテゴリ識別番号を、カテゴリ受信部１１２に送信する（ＳＴＥＰ３０５）。
【０１０４】
その後、ソフトウェアは、送信された概要情報を画面に表示し（ＳＴＥＰ３０６）、利用者の閲覧時間、閲覧回数等の状況を閲覧情報として取得し、取得した閲覧情報を趣向分析部１１８に送信する（ＳＴＥＰ３０７）。
【０１０５】
図１２は、その他の実施形態におけるデジタルコンテンツ表示システム１００の処理フローを示すチャートである。表示機器２０１にインストールされたソフトウェアからユーザ識別番号の取得要求があった場合（ＳＴＥＰ４０１：ＹＥＳ）、ユーザ識別番号割当部１２０は、ユーザ識別番号をソフトウェアへ送信する（ＳＴＥＰ４０２）。
【０１０６】
次に、既に選択情報を受信しているか確認し（ＳＴＥＰ４０３）、受信していない場合には（ＳＴＥＰ４０３：ＮＯ）、デジタルコンテンツ表示システム１００は、カテゴリ選択画面を送信する（ＳＴＥＰ４０４）。その後、デジタルコンテンツ表示システム１００は、選択されたカテゴリをカテゴリ識別番号として受信し（ＳＴＥＰ４０５）、カテゴリ識別番号に基づいて概要情報を時系列で送信し（ＳＴＥＰ４０６）、利用者の閲覧情報の取得ログをソフトウェアから受信する（ＳＴＥＰ４０７）。
【０１０７】
このとき趣向分析部１１８は、第１の実施形態と同様、閲覧情報から利用者の趣向性を分析し、各デジタルコンテンツに対応するソースのスコアを変動させる。このスコアの変動は、ユーザ識別番号ごとに管理され、利用者単位でスコア記録部１２１に記録されるものとしてもよい。
【０１０８】
その他の構成、機能については第１の実施形態と同様である。
【０１０９】
［その他の実施形態］
以上、本発明の実施形態について述べたが、本発明は既述の実施形態に限定されるものではなく、本発明の技術的思想に基づいて、各種の変形および変更が可能である。例えば、本発明の第１および第２の実施形態において、更新処理部１１５は、データベース１０１を監視し、デジタルコンテンツが更新された場合、更新したデジタルコンテンツを情報送信部１１４に通知するというプッシュ型の処理を行うものとして説明されている。が、更新処理部１１５の処理はこれに限定されるものでなく、例えば表示機器２０１が一定周期でポーリングを行い、このポーリングがあった際に更新処理部１１５が更新内容を確認する、というプル型の処理としてもよい。
【０１１０】
また、情報送信部１１４および更新処理部１１５は、デジタルコンテンツの概要情報を時系列で表示させるように、表示機器２０１に対して送信するものとして説明されているが、これに限定されるものではなく、例えばデジタルコンテンツの作成者の五十音順に、表示機器２０１に対して送信するものとしてもよい。
【０１１１】
デジタルコンテンツ表示システム１００は、受信したカテゴリ識別番号のカテゴリに属する複数のデジタルコンテンツを、ネットワーク８００を介して取得するコンテンツ取得部１１３と、取得された複数のデジタルコンテンツの概要情報および該概要情報をソフトウェアに所定の順番で表示させるための情報を表示機器２０１に送信し、複数のデジタルコンテンツの概要情報から利用者が選択したデジタルコンテンツの選択情報に応じて、選択されたデジタルコンテンツの詳細情報を表示機器２０１に表示させる情報送信部１１４と、選択されたカテゴリ、送信した概要情報および送信した詳細情報の少なくともいずれか１つに対応する利用者の閲覧状況を示した閲覧情報を取得し、該閲覧情報に応じて表示機器２０１に所定の順番で表示させるデジタルコンテンツの概要情報を更新し、該更新された概要情報を表示機器２０１に送信する更新処理部１１５とを備える際には、複数のデジタルコンテンツを統合的に提示し、利用者の行動に応じて一次的な情報と二次的な情報との結びつきを変化させることが可能となり、また、利用者が、自分で調べようとする事項についての予備知識を持ち合わせていない場合にも適切な二次的な情報をシステム外から取得し推奨することが可能となる。
【０１１２】
また、デジタルコンテンツ表示システム１００は、更に、カテゴリ、概要情報および詳細情報のすくなくともいずれか１つに対する利用者の閲覧状況に応じて、該利用者の趣向性を分析する趣向分析部１１８を備える際においては、利用者にとってさほど興味のない情報を推奨することを防ぐことが可能となり、また、利用者が自身の取得したい二次的な情報に対して予備知識がない場合でも適切な情報を取得することが可能となる。
【０１１３】
また、デジタルコンテンツ表示システム１００は、表示されたデジタルコンテンツから、利用者がお気に入りタグを付与したデジタルコンテンツを、更新処理後も表示させるお気に入り管理部１１９を備える際においては、利用者が気に入った情報を、更新処理後もすぐに閲覧可能な場所に確保しておくことが可能となる。
【０１１４】
また、コンテンツ取得部１１３が、カテゴリに紐づいた複数のデジタルコンテンツから、該デジタルコンテンツが有する利用者の趣向性を表すスコアの初期値に基づいて、表示機器２０１に送信されるデジタルコンテンツを選択するものである際には、利用者が自身の取得したい二次的な情報に対して予備知識がない場合でも適切な情報を取得することが可能となる。
【０１１５】
また、更新処理部１１５が、趣向分析部１１８の分析結果に基づいて、デジタルコンテンツのスコアを更新し、所定の順番で表示させるための概要情報を更新する際に、該更新されたスコアが所定の閾値を超過したデジタルコンテンツの概要情報を更新して送信するものである際においては、利用者の行動に応じて一次的な情報と二次的な情報との結びつきを変化させることが可能となり、利用者の趣向度の高い二次的な情報を推奨することが可能となる。
【０１１６】
また、デジタルコンテンツ表示システム１００が、更に、ソフトウェアを配布する際に、利用者ごとに固有のユーザ識別番号を割当てるユーザ識別番号割当部１２０と、更新されたスコアをユーザ識別番号ごとに記録するスコア記録部１２１とを備え、コンテンツ取得部１１３が、スコア記録部１２１に記録されたスコアを、デジタルコンテンツが有するスコアの初期値として扱うものである際においては、利用者ごとに推奨する二次的な情報を変化させることが可能となる。
【０１１７】
また、趣向分析部１１８が、利用者の閲覧時間、閲覧回数および購買履歴のうち少なくともいずれか１つを閲覧状況に関する情報として利用者の趣向性を分析するものである際においては、利用者の行動に応じて趣向性を分析することが可能となり、より適切な情報を推奨することが可能となる。
【符号の説明】
【０１１８】
１００            デジタルコンテンツ表示システム
１０１            データベース
１１１            配布部
１１２            カテゴリ受信部
１１３            コンテンツ取得部
１１４            情報送信部
１１７            更新処理部
１１８            趣向分析部
１１９            お気に入り管理部
１２０            ユーザ識別番号割当部
１２１            スコア記録部
２０１            表示機器
３００            外部システム
３０１            ＥＣサイト
３０２            ＷＥＢサイト
８００            ネットワーク
【図１】
2014157513.tif 000003
【図２】
2014157513.tif 000004
【図３】
2014157513.tif 000005
【図４】
2014157513.tif 000006
【図５】
2014157513.tif 000007
【図６】
2014157513.tif 000008
【図７】
2014157513.tif 000009
【図８】
2014157513.tif 000010
【図９】
2014157513.tif 000011
【図１０】
2014157513.tif 000012
【図１１】
2014157513.tif 000013
【図１２】
2014157513.tif 000014